Podtech/llm-jp-corpus-v4-ja_patent huggingface dataset:
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
構造式（Ｉ）
2016533373.tif 000001
の化合物または薬学的に許容されるその塩の有効量を含む、対象における膵癌を治療するための薬学的組成物であって、
式中、各Ｒａが、独立に−Ｈまたはメチルであり；
Ｒ１が−Ｈまたはメトキシであり；かつ
Ｒ２が−Ｈまたはメチルである、
薬学的組成物。
【請求項２】
化合物が、下記構造式
2016533373.tif 000002
によって表されるか、または薬学的に許容されるその塩である、請求項１に記載の薬学的組成物。
【請求項３】
化合物が、下記構造式
2016533373.tif 000003
によって表されるか、または薬学的に許容されるその塩である、請求項１に記載の薬学的組成物。
【請求項４】
化合物が、下記構造式
2016533373.tif 000004
によって表されるか、または薬学的に許容されるその塩である、請求項１に記載の薬学的組成物。
【請求項５】
膵癌が外分泌腫瘍である、請求項１〜４のいずれか一項に記載の薬学的組成物。
【請求項６】
膵癌が神経内分泌腫瘍である、請求項１〜４のいずれか一項に記載の薬学的組成物。
【請求項７】
外分泌腫瘍が、腺房細胞癌、腺癌、腺扁平上皮癌、巨細胞腫、膵管内乳頭粘液性腫瘍（ＩＰＭＮ）、粘液性嚢胞腺癌、膵芽腫、漿液性嚢胞腺癌、および充実性偽乳頭腫瘍（solid and pseudopapillary tumor）からなる群より選択される、請求項５に記載の薬学的組成物。
【請求項８】
神経内分泌腫瘍が、ガストリノーマ（ゾリンジャー・エリソン症候群）、グルカゴノーマ、インスリノーマ、非機能性膵島細胞腫瘍、ソマトスタチノーマ、および血管作動性腸管ペプチド放出腫瘍（ＶＩＰ産生腫瘍またはヴァーナー・モリソン症候群）からなる群より選択される、請求項６に記載の薬学的組成物。
【請求項９】
膵癌が腺癌である、請求項１〜４のいずれか一項に記載の薬学的組成物。
【請求項１０】
膵癌が低酸素性である、請求項１〜９のいずれか一項に記載の薬学的組成物。
【請求項１１】
膵癌が低酸素性ではない、請求項１〜９のいずれか一項に記載の薬学的組成物。
【請求項１２】
追加の治療剤と組み合わせて投与されるように用いられる、請求項１〜１１のいずれか一項記載の薬学的組成物。
【請求項１３】
追加の治療剤が抗癌薬である、請求項１２に記載の薬学的組成物。
【請求項１４】
抗癌薬がゲムシタビンである、請求項１３に記載の薬学的組成物。
【請求項１５】
抗癌薬がシスプラチンである、請求項１３に記載の薬学的組成物。
【手続補正２】
【補正対象書類名】明細書
【補正対象項目名】０００７
【補正方法】変更
【補正の内容】
【０００７】
本発明の別の態様は、膵癌を有する対象を治療するための、構造式(I)によって表される化合物または薬学的に許容されるその塩である。
[本発明1001]
構造式(I)
2016533373.tif 000005
の化合物または薬学的に許容されるその塩の有効量を投与する段階を含む、膵癌を有する対象を治療する方法であって、
式中、各Raが、独立に-Hまたはメチルであり;
R1が-Hまたはメトキシであり;かつ
R2が-Hまたはメチルである、
方法。
[本発明1002]
化合物が、下記構造式
2016533373.tif 000006
によって表されるか、または薬学的に許容されるその塩である、本発明1001の方法。
[本発明1003]
化合物が、下記構造式
2016533373.tif 000007
によって表されるか、または薬学的に許容されるその塩である、本発明1001の方法。
[本発明1004]
化合物が、下記構造式
2016533373.tif 000008
によって表されるか、または薬学的に許容されるその塩である、本発明1001の方法。
[本発明1005]
膵癌が外分泌腫瘍である、本発明1001〜1004のいずれかの方法。
[本発明1006]
膵癌が神経内分泌腫瘍である、本発明1001〜1004のいずれかの方法。
[本発明1007]
外分泌腫瘍が、腺房細胞癌、腺癌、腺扁平上皮癌、巨細胞腫、膵管内乳頭粘液性腫瘍(IPMN)、粘液性嚢胞腺癌、膵芽腫、漿液性嚢胞腺癌、および充実性偽乳頭腫瘍(solid and pseudopapillary tumor)からなる群より選択される、本発明1005の方法。
[本発明1008]
神経内分泌腫瘍が、ガストリノーマ(ゾリンジャー・エリソン症候群)、グルカゴノーマ、インスリノーマ、非機能性膵島細胞腫瘍、ソマトスタチノーマ、および血管作動性腸管ペプチド放出腫瘍(VIP産生腫瘍またはヴァーナー・モリソン症候群)からなる群より選択される、本発明1006の方法。
[本発明1009]
膵癌が腺癌である、本発明1001〜1004のいずれかの方法。
[本発明1010]
膵癌が低酸素性である、本発明1001〜1009のいずれかの方法。
[本発明1011]
膵癌が低酸素性ではない、本発明1001〜1009のいずれかの方法。
[本発明1012]
追加の治療剤を同時投与する段階をさらに含む、本発明1001〜1011のいずれかの方法。
[本発明1013]
追加の治療剤が抗癌薬である、本発明1012の方法。
[本発明1014]
抗癌薬がゲムシタビンである、本発明1013の方法。
[本発明1015]
抗癌薬がシスプラチンである、本発明1013の方法。
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
分子をスキンへデリバリ（delivering）又は移動する非治療的方法は以下の：
プラズマ場をスキンに処置することによって一又は複数の孔をスキンに開け；
その後、クリーム、パッチ、ジェル、軟膏、エアゾール、又は、液体のうちの１つから選択され、５００Ｄａ以上の分子量の一又は複数の分子を有する一のキャリアを前記スキンの表面上に塗布し；
一又は複数の分子を所望の深さの孔にパススルー可能とし；そして
一又は複数の前記孔を閉口可能とする、方法。
【請求項２】
前記キャリアは、溶液に溶けている分子、又は懸濁液中の分子を含む請求項１記載の方法。
【請求項３】
前記キャリアは、帯電分子を含む請求項１記載の方法。
【請求項４】
前記一又は複数の分子は分子量１０００Ｄａ以上、又は３０００Ｄａ、又は１００００Ｄａ以上である請求項１記載の方法。
【請求項５】
前記一又は複数の分子は保湿性分子を含む請求項１記載の方法。
【請求項６】
前記一又は複数の分子は化粧用分子を含み、好ましくは前記化粧用分子はフィラーを含み、そして、より好ましくは前記フィラーはコラーゲンを含む請求項１記載の方法。
【請求項７】
前記一又は複数の分子は衛生化分子を含む請求項１記載の方法。
【請求項８】
プラズマが前記スキンの前記表面に処置され、前記キャリアが一又は複数の分子を含み前記スキンの前記表面に所定の時間塗布処置され、それから、一又は複数の分子が前記第一のプラズマ処置によって生成された前記孔をパススルー後に、前記スキンの前記表面にプラズマ処置され、かつ好ましくは、一又は複数の分子を含む前記キャリアの前記塗布処置と前記第二のプラズマ処置との間の前記時間は、約１秒と約１２０秒の間である請求項１記載の方法。
【請求項９】
前記プラズマ場は、前記スキンと約１秒から約１２０秒の間前記スキン接触して連続プラズマを生成するプラズマ生成装置によって生成され、又は、前記プラズマ場は前記プラズマを約２Ｈｚと約２００００Ｈｚとの間のパルス繰り返し周波数でのプラズマジェネレータのセットによって生成される請求項１記載の方法。
【請求項１０】
前記プラズマを生成するプラズマジェネレータの前記パルス継続時間(duration)を約１μｓと約１０μｓの間、又は、約０．１ナノ秒と約５００ナノ秒の間に設定することをさらに含む請求項１記載の方法。
【請求項１１】
前記プラズマを生成するプラズマジェネレータの前記使用率を約１０％と約１００％の間に設定することをさらに含む請求項１記載の方法。
【請求項１２】
前記プラズマはプラズマジェネレータによって生成され、前記プラズマジェネレータは誘電体バリア放電ジェットプラズマジェネレータであるか、又は、
前記プラズマはプラズマジェネレータによって生成され、前記プラズマジェネレータは誘電体バリア放電ジェットプラズマジェネレータであり、そして、ヘリウムガス供給（ｆｅｅｄ）を有するか、又は、
前記プラズマはプラズマジェネレータによって生成され、前記プラズマジェネレータは大気を使用してプラズマを生成する誘電体バリア放電ジェットプラズマジェネレータである、請求項１記載の方法。
【請求項１３】
前記プラズマはプラズマジェネレータによって生成され、前記プラズマジェネレータはマイクロ秒パルスパワーサプライ又はナノ秒パルスパワーサプライを備え、好ましくは前記ナノ秒パルスパワーサプライはプラズマを多数の個別パルスでスキンへ処理し、又は、前記多数の個別パルスは、約１から約１００の間の範囲の個別パルスであってパルス継続時間が約１ｎｓと約５００ｎｓの間である請求項１記載の方法。
【請求項１４】
前記一又は複数の分子は平均深さが約３０μｍと約６００μｍ、又は約１２５μｍと約５００μｍ、又は約２００μｍと約４００μｍ、又は約２００μｍと約１０００μｍの間の平均深さにドライブされる請求項１記載の方法。
【請求項１５】
前記スキンへのプラズマ処置に先立つ前記スキンの事前準備をさらに含み、好ましくは前記事前準備には少なくとも、スキンｐＨ、保湿レベル、温度又は電解質濃度のうちの一つを変えることから成り、又は、ケミカルスキン浸透エンハンサーを前記スキンへ処置することをさらに含み、オプションとして、前記ケミカルスキン浸透エンハンサーは、ジメチルスルホキシド、オレイン酸又はエタノールのうちの一つである請求項１記載の方法。
【請求項１６】
ナノ粒子をスキン内へデリバリする、又は、移動する非治療的方法であって、以下の：
一又は複数の孔をスキンへのプラズマ場処置によって皮膚に開口すること；
６００ｎｍ以下のサイズの一又は複数のナノ粒子を前記皮膚の表面に処置すること；
前記一又は複数の孔を通じて前記一又は複数のナノ粒子を輸送可能であり、；そして
前記一又は複数のナノ粒子が前記一又は複数の孔を通じて所望の深さまでパススルー可能であり、；そして
前記一又は複数の孔がクローズ可能とし、好ましくは前記一又は複数のナノ粒子は、シルバー、酸化亜鉛、二酸化チタン、シリカ、キトサン又は量子ドットを含み、又は前記一又は複数のナノ粒子は、一又は複数の分子、ワクチン又はドラッグをカプセル化する構成を含む方法。
【請求項１７】
クリーム、パッチ、ジェル、軟膏、エアゾール、又は、液体のうちから選択された一のキャリアと５００Ｄａ以上の分子量の分子を含む、トリートメントの方法に使用するコンポジションであって、前記方法は、前記スキンにプラズマ場を適用することにより、一又は複数の孔をスキンに開口すること、前記スキンの表面上に前記コンポジションを塗布処置することを含み、前記一又は複数の分子を前記孔の所望の深さまでパススルー可能とし前記一又は複数の孔をクローズ可能とする方法に使用するコンポジション。
【請求項１８】
スキンをサニタイズする方法に使用するサニタイザコンポジションであって、前記方法は、前記スキンの表面にプラズマ処置して前記スキンに孔を開口すること、前記サニタイザコンポジションを前記スキンの前記表面に塗布処置すること、前記サニタイザコンポジションを前記孔を通し所望の深さまで輸送することを含む方法に使用するサニタイザコンポジション。
【請求項１９】
病気治療方法に使用するドラッグコンポジションであって、前記方法は、前記スキンの表面にプラズマ処置して前記スキンに孔を開口すること、前記ドラッグコンポジションを前記スキンの前記表面に塗布処置することを含み、前記ドラッグを前記孔を通し所望の深さまで輸送する方法に使用するドラッグコンポジション。
【請求項２０】
ワクチン接種方法に使用するワクチンコンポジションであって、前記方法は、前記スキンの表面にプラズマ処置して前記スキンに孔を開口すること、前記ワクチンコンポジションを前記スキンの前記表面に塗布処置すること、前記ワクチンを前記孔を通し所望の深さまで輸送することを含む方法に使用するワクチンコンポジション。
【請求項２１】
アクネトリートメントする方法に使用する抗菌剤コンポジションであって、前記方法は、スキン上のアクネの一又は複数の箇所にプラズマ処置し、それから、前記抗菌剤コンポジションを前記一又は複数のアクネの箇所に塗布処置することを含む方法に使用する抗菌剤コンポジション。
【手続補正書】
【提出日】平成29年9月1日(2017.9.1)
【手続補正１】
【補正対象書類名】特許請求の範囲
【補正対象項目名】請求項２２
【補正方法】変更
【補正の内容】
【請求項２２】
前記変化が、低下であり、前記遺伝子がスクレロスチンタンパク質をコードする、請求項２１に記載の方法。
【手続補正２】
【補正対象書類名】特許請求の範囲
【補正対象項目名】請求項２３
【補正方法】変更
【補正の内容】
【請求項２３】
前記シリカコーティングが、前記シリカコーティングの外表面と結合したポリマーをさらに含む、請求項１８に記載の方法。
【手続補正３】
【補正対象書類名】特許請求の範囲
【補正対象項目名】請求項２４
【補正方法】変更
【補正の内容】
【請求項２４】
前記シリカコーティングの外表面と結合した前記ポリマーが、ポリ（Ｌ−アルギニン）または血管作動性内皮増殖因子ペプチドを含む、請求項２３に記載の方法。
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
下記式：
【化１】
2016533333.tif 000001
（式中、
ＸはＳまたは結合であり；
Ｒ１、Ｒ２およびＲ３は独立してまたは共通して、炭素数３〜１２の単糖または二糖、Ｏ、Ｓ、ＣＨ３Ｓ−またはＮで置換されていてもよい炭素数１〜５のモノカルボン酸またはジカルボン酸、炭素数１〜５のチオカルボン酸、窒素に結合している側鎖が炭素数１〜５のアルキルである炭素数１〜５の第一級、第二級または第三級アミド、スレオニン、セリン、グルタミン酸塩、リンゴ酸塩、シュウ酸塩、メルカプトコハク酸塩、シアン化物、チオシアン酸塩、チオ硫酸塩、および亜硫酸塩からなる群から選択される１つまたは複数のリガンドであり、
Ｒ３は電子対であってもよい）の化合物。
【請求項２】
Ｘが結合であることを特徴とする、請求項１に記載の化合物。
【請求項３】
下記式：
【化２】
2016533333.tif 000002
（式中、Ｒ１、Ｒ２およびＲ３は独立してまたは共通して、スレオニン、セリン、グルタミン酸塩、リンゴ酸塩、シュウ酸塩、メルカプトコハク酸塩、シアン化物、チオシアン酸塩、チオ硫酸塩、および亜硫酸塩からなる群から選択される１つまたは複数のリガンドである）であることを特徴とする、請求項１に記載の化合物。
【請求項４】
リガンドがスレオニンであることを特徴とする、請求項３に記載の化合物。
【請求項５】
化合物が薬学的に許容される塩の形態であることを特徴とする、請求項１〜４のいずれか一項に記載の化合物。
【請求項６】
請求項１〜５のいずれか一項に記載の化合物を含有することを特徴とする薬学組成物。
【請求項７】
哺乳動物におけるシアン化物中毒の治療方法であって、請求項１〜６のいずれか一項で定義される化合物の治療有効量を投与することを含む方法。
【請求項８】
哺乳動物がヒトであることを特徴とする、請求項７に記載の方法。
【請求項９】
下記式：
【化３】
2016533333.tif 000003
（式中、
ＸはＳまたは結合であり；
Ｒ１、Ｒ２およびＲ３は独立してまたは共通して、炭素数３〜１２の単糖または二糖、Ｏ、Ｓ、ＣＨ３Ｓ−またはＮで置換されていてもよい炭素数１〜５のモノカルボン酸またはジカルボン酸、炭素数１〜５のチオカルボン酸、窒素に結合している側鎖が炭素数１〜５のアルキルである炭素数１〜５の第一級、第二級または第三級アミド、スレオニン、セリン、グルタミン酸塩、リンゴ酸塩、シュウ酸塩、メルカプトコハク酸塩、シアン化物、チオシアン酸塩、チオ硫酸塩、および亜硫酸塩からなる群から選択される１つまたは複数のリガンドであり、
Ｒ３は電子対であってもよい）の化合物を含有することを特徴とする薬学組成物。
【請求項１０】
Ｘが結合であることを特徴とする、請求項９に記載の組成物。
【請求項１１】
Ｒ１、Ｒ２およびＲ３は共通して、スレオニン、セリン、グルタミン酸塩、リンゴ酸塩、シュウ酸塩、メルカプトコハク酸塩、シアン化物、チオシアン酸塩、チオ硫酸塩、および亜硫酸塩からなる群から選択される１つのリガンドであることを特徴とする、請求項１０に記載の組成物。
【請求項１２】
リガンドがスレオニンであることを特徴とする、請求項１１に記載の組成物。
【請求項１３】
化合物が薬学的に許容される塩の形態であることを特徴とする、請求項９〜１２のいずれか一項に記載の組成物。
【請求項１４】
化合物が、ナトリウム、カリウム、Ｒ４Ｎ（Ｒは水素）、グルコサミン、エタノールアミン、ジエタノールアミン、トリエタノールアミン（ＴＥＡ）、トロメタミン（ＴＲＩＳ）、およびＮ−メチルアミノエタノールからなる群から選択されるカチオンを有する塩の形態であることを特徴とする、請求項１３に記載の組成物。
【請求項１５】
さらに硫黄源を含有することを特徴とする、請求項９〜１４のいずれか一項に記載の組成物。
【請求項１６】
硫黄源が、硫黄、チオ硫酸塩、硫化アンモニウム、ジチオスレイトール（ＤＴＴ）、トリチオスレイトール、グルタチオン、およびジベンジルトリスルフィド（ＤＴＳ）からなる群から選択されることを特徴とする、請求項１５に記載の組成物。
【請求項１７】
硫黄源が、チオ硫酸ナトリウムおよびチオ硫酸カリウムからなる群から選択される塩であることを特徴とする、請求項１６に記載の組成物。
【請求項１８】
哺乳動物におけるシアン化物中毒の治療方法であって、請求項１〜９のいずれか一項で定義される化合物、または請求項９〜１７のいずれか一項で定義される組成物の治療有効量を投与することを含む方法。
【請求項１９】
哺乳動物がヒトであることを特徴とする、請求項１８に記載の方法。
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
３，４−ビス−ベンジルスルホニルブタンニトリルの化合物又はその医薬上許容される塩。
【請求項２】
医薬上許容される担体、及び、請求項１記載の化合物又はその医薬上許容される塩を含む、医薬組成物。
【請求項３】
前記化合物は少なくとも９０％（ｗ／ｗ）の純度を有し、そして前記組成物はゲル、クリーム、ローション、軟膏、溶液、懸濁液、スプレイ又はパッチの局所形態である、請求項１記載の医薬組成物。
【請求項４】
前記医薬上許容される担体は、乳酸ラウリル、ジエチレングリコールモノエチルエーテル、カプリル／カプリン酸トリグリセリド、サリチル酸オクチル（octisalate）、シリコーン流体、スクアレン及びヒマワリ油からなる群より選ばれる皮膚軟化剤である、請求項３記載の医薬組成物。
【請求項５】
前記医薬上許容される担体は、乳酸エステル及びジエチレングリコールモノエチルエーテルからなる群より選ばれる透過促進剤である、請求項２記載の医薬組成物。
【請求項６】
アクリレート／Ｃ１０〜３０アルキル及びトリス（２−ヒドロキシエチル）アミンをさらに含む、請求項５記載の医薬組成物。
【請求項７】
前記化合物は少なくとも９０％（ｗ／ｗ）の純度を有し、前記組成物は錠剤、カプセル剤、顆粒剤、散剤又はシロップ剤の経口形態である、請求項２記載の医薬組成物。
【請求項８】
炎症又は疼痛を治療するための医薬組成物であって、請求項１記載の化合物又はその医薬上許容される塩を炎症又は疼痛を治療するのに有効な量で含む、組成物。
【請求項９】
急性もしくは慢性の腫大、疼痛又は発赤を特徴とする炎症の局所症状の徴候を低減又は緩和するための、請求項８記載の医薬組成物。
【請求項１０】
前記疼痛は侵害受容型疼痛である、請求項８記載の医薬組成物。
【請求項１１】
前記炎症及び/又は疼痛は、筋骨格捻挫、筋骨格挫傷、腱障害、末梢神経根症、骨関節炎、関節変性疾患、若年性関節炎、痛風、強直性脊椎炎、乾癬性関節炎、全身性エリテマトーデス、肋軟骨炎、腱炎、滑液包炎、顎関節症候群及び線維筋痛症からなる群より選ばれる骨格又は筋肉疾患又は病態に関連している、請求項８記載の医薬組成物。
【請求項１２】
前記炎症及び/又は疼痛は関節、靱帯、腱、骨、筋肉及び筋膜に関連している、請求項８記載の医薬組成物。
【請求項１３】
前記炎症及び/又は疼痛は、皮膚炎又は乾癬の炎症性皮膚疾患又は障害に関連している、請求項８記載の医薬組成物。
【請求項１４】
３，４−ビス−ベンジルスルホニルブチロニトリルの調製方法であって、
(a)ベンジルメルカプタンを４−ブロモ−２−ブテンニトリルと塩基性条件で反応させて、３，４−ビス−ベンジルチオブチロニトリルを生成すること、及び、
(b)３，４−ビス−ベンジルチオブチロニトリルを過酸化物で酸化させて、３，４−ビス−ベンジルスルホニルブチロニトリルを生成すること、
含む、方法。
【請求項１５】
臭素Ｂｒ２をシアン化アリルと塩基性条件下に反応させて、４−ブロモ−２−ブテンニトリルを調製することをさらに含む、請求項１４記載の方法。
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
呼吸器合胞体ウイルス（RSV）Fタンパク質またはそのフラグメントと自己集合性分子とを含むナノ粒子であって、前記自己集合性分子が準安定融合前コンフォメーションにある前記Fタンパク質またはそのフラグメントを捕捉する多量体アセンブリを形成し、よってナノ粒子を形成する、ナノ粒子。
【請求項２】
前記Fタンパク質が（ａ）F1およびF2ヘテロ二量体、（b）エクトドメイン、（c）7アミノ酸リピートAドメイン（HRA）および7アミノ酸リピートCドメイン（HRC）、（d）HRAドメイン、HRCドメイン、ならびにF1ドメインIおよびII、（e）HRAドメイン、HRCドメイン、F1ドメインIおよびII、ならびに7アミノ酸リピートBドメイン（HRB）、または（f）1つ以上のF1およびF2のホモ三量体を含む、請求項１に記載のナノ粒子。
【請求項３】
前記Fタンパク質が配列番号1〜12からなる群より選択されるアミノ酸配列を含む、請求項１に記載のナノ粒子。
【請求項４】
前記Fタンパク質が前記自己集合性分子に共有結合で取り付けられている、または遺伝子レベルで融合されている、請求項１から３のいずれか一項に記載のナノ粒子。
【請求項５】
前記自己集合性分子が、タンパク質、ペプチド、核酸、ウイルス様粒子、ウイルスキャプシド、脂質、および糖質からなる群より選択される、請求項１から４のいずれか一項に記載のナノ粒子。
【請求項６】
前記自己集合性分子が集合して多面体対称性を有するシェルを構築する、請求項５に記載のナノ粒子。
【請求項７】
前記シェルが八面体対称性を有する、請求項６に記載のナノ粒子。
【請求項８】
前記シェルが前記自己集合性分子の単量体を24個含む、請求項７に記載のナノ粒子。
【請求項９】
前記自己集合性分子が、フェリチン、熱ショックタンパク質、およびDspからなる群より選択されるタンパク質である、請求項５に記載のナノ粒子。
【請求項１０】
前記自己集合性分子がフェリチンである、請求項９に記載のナノ粒子。
【請求項１１】
前記フェリチンタンパク質が配列番号13〜17からなる群より選択されるアミノ酸配列を含む、請求項１０に記載のナノ粒子。
【請求項１２】
前記自己集合性分子が熱ショックタンパク質、例えばsHSP（小分子熱ショックタンパク質）、HSP100、HSP90、HSP70、およびHSP60である、請求項９に記載のナノ粒子。
【請求項１３】
前記熱ショックタンパク質が配列番号36〜42からなる群より選択されるアミノ酸配列を含む、請求項１２に記載のナノ粒子。
【請求項１４】
前記Fタンパク質と自己集合性分子とがリンカーを使って取り付けられている、請求項１から１３のいずれか一項に記載のナノ粒子。
【請求項１５】
前記リンカーが、前記自己集合性分子とFタンパク質との間の立体障害を防止するのに十分な長さを有する、請求項１４に記載のナノ粒子。
【請求項１６】
前記リンカーがgly−serリンカーである、請求項１４に記載のナノ粒子。
【請求項１７】
前記リンカーを取り付けるFタンパク質上の箇所が、配列番号1の位置513にあるロイシンであり、前記リンカーを取り付けるフェリチン上の箇所が配列番号13の位置5にあるアスパラギン酸である、請求項１４から１６のいずれか一項に記載のナノ粒子。
【請求項１８】
前記Fタンパク質のアミノ酸配列が細胞からの分泌を容易にするためのN末端リーダーをさらに含む、請求項１から１７のいずれか一項に記載のナノ粒子。
【請求項１９】
前記N末端リーダーが、配列番号51〜53からなる群より選択されるアミノ酸配列を含む、請求項１８に記載のナノ粒子。
【請求項２０】
請求項１から１９のいずれか一項に記載のナノ粒子と医薬上許容される担体とを含み、場合によってさらにアジュバントを含む、免疫原性組成物。
【請求項２１】
請求項１から１９のいずれか一項に記載のナノ粒子を含むワクチン組成物であって、融合前コンフォメーションにあるFタンパク質ホモ三量体が、前記自己集合分子の多量体アセンブリによって形成されるシェルの表面にディスプレイされており、場合によってさらにアジュバントを含む、ワクチン組成物。
【請求項２２】
RSVに対するワクチン接種を対象に行うために用いられる、請求項２１に記載のワクチン組成物。
【請求項２３】
配列番号18〜21、24〜27、および30〜33からなる群より選択されるアミノ酸配列を含むRSV Fタンパク質−フェリチン融合タンパク質。
【請求項２４】
配列番号22、23、28、29、34、および35からなる群より選択されるアミノ酸配列を含むRSV Fタンパク質−熱ショックタンパク質融合タンパク質。
【請求項２５】
RSV感染を阻害および／または防止する抗体を生産する方法であって、請求項１から２４のいずれか一項に記載のナノ粒子、免疫原性組成物、ワクチン組成物、または融合タンパク質を非ヒト動物の対象に投与することを含む方法。
【請求項２６】
RSVに対するワクチンを生産する方法であって、a）単量体型自己集合分子とRSV Fタンパク質とを含む複合体を、融合前コンフォメーションにあるFタンパク質三量体が前記自己集合分子の多量体化によって形成されるシェルの表面にディスプレイされるような条件下で、発現させること、およびb）Fタンパク質をディスプレイしているシェルを回収することを含む方法。
【請求項２７】
請求項１から１９、２３および２４のいずれか一項に記載のナノ粒子または融合タンパク質をコードする単離された核酸。
【請求項２８】
請求項２７に記載の核酸を含むベクター。
【請求項２９】
請求項２８に記載の核酸を含む単離された細胞。
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
約４０ｍｇ／ｍＬから約１２５ｍｇ／ｍＬの濃度の抗ＰＤＬ１モノクローナル抗体、約１５ｍＭから約２５ｍＭの濃度のヒスチジンアセテート又は酢酸ナトリウム、約６０ｍＭから約２４０ｍＭの濃度のスクロース、約０．００５％（ｗ／ｖ）から約０．０６％（ｗ／ｖ）の濃度のポリソルベートを含むｐＨ約５．０から約６．３の安定な水性薬学的製剤。
【請求項２】
製剤中の前記モノクローナル抗体が約４０ｍｇ／ｍＬから約８０ｍｇ／ｍＬ、約５４ｍｇ／ｍＬから約６６ｍｇ／ｍＬ、約６０ｍｇ／ｍＬから約１２５ｍｇ／ｍＬ、約６０ｍｇ／ｍＬ又は約１２５ｍｇ／ｍＬである、請求項１に記載の製剤。
【請求項３】
前記ヒスチジンアセテート又は酢酸ナトリウムが約１７ｍＭから約２２ｍＭ、又は約２０ｍＭの濃度である、請求項１又は２に記載の製剤。
【請求項４】
製剤中の前記スクロースが約６０ｍＭから約１８０ｍＭ、又は約１２０ｍＭである、請求項１から３の何れか一項に記載の製剤。
【請求項５】
ｐＨが約５．５から約６．１、又は約５．５又は約５．８である、請求項１から４の何れか一項に記載の製剤。
【請求項６】
製剤中の前記ポリソルベートがポリソルベート２０である、請求項１から５の何れか一項に記載の製剤。
【請求項７】
製剤中の前記ポリソルベートが約０．０２％から約０．０４％である、請求項１から６の何れか一項に記載の製剤。
【請求項８】
製剤中の前記モノクローナル抗体が約６０ｍｇ／ｍＬであり、製剤中のスクロースが約１２０ｍＭであり、ｐＨが約５．８である；
製剤中の前記モノクローナル抗体が約１２５ｍｇ／ｍＬであり、製剤中のスクロースが約２４０ｍＭであり、ｐＨが約５．５である；
前記モノクローナル抗体が約６０ｍｇ／ｍＬの量であり、前記ヒスチジンアセテートが約２０ｍＭの濃度であり、前記スクロースが約１２０ｍＭの濃度であり、前記ポリソルベートが０．０４％（ｗ／ｖ）の濃度のポリソルベート２０であり、前記製剤が約５．８のｐＨを有する；或いは
前記モノクローナル抗体が約１２５ｍｇ／ｍＬの量であり、前記ヒスチジンアセテートが約２０ｍＭの濃度であり、前記スクロースが約２４０ｍＭの濃度であり、前記ポリソルベートが０．０２％（ｗ／ｖ）の濃度のポリソルベート２０であり、前記製剤が約５．５のｐＨを有する、
請求項１から７の何れか一項に記載の製剤。
【請求項９】
前記モノクローナル抗体が事前の凍結乾燥に供されない、請求項１から８の何れか一項に記載の製剤。
【請求項１０】
前記モノクローナル抗体が完全長抗体である、請求項１から９の何れか一項に記載の製剤。
【請求項１１】
前記モノクローナル抗体がＩｇＧ１、ＩｇＧ２、ＩｇＧ３又はＩｇＧ４抗体である、請求項１から１０の何れか一項に記載の製剤。
【請求項１２】
前記モノクローナル抗体がヒト化抗体である、請求項１から１１の何れか一項に記載の製剤。
【請求項１３】
前記モノクローナル抗体が抗原結合領域を含む抗体断片である、請求項１から１２の何れか一項に記載の製剤。
【請求項１４】
前記抗体断片がＦａｂ又はＦ（ａｂ’）２断片である、請求項１３に記載の製剤。
【請求項１５】
前記モノクローナル抗体が、
（ａ）（１）アミノ酸配列ＲＡＳＱＤＶＳＴＡＶＡ（配列番号１）を含むＨＶＲ−Ｌ１；
（２）アミノ酸配列ＳＡＳＦＬＹＳ（配列番号２）を含むＨＶＲ−Ｌ２；
（３）アミノ酸配列ＱＱＹＬＹＨＰＡＴ（配列番号３）を含むＨＶＲ−Ｌ３
を含む軽鎖可変領域；及び
（ｂ）（１）アミノ酸配列ＧＦＴＦＳＤＳＷＩＨ（配列番号４）を含むＨＶＲ−Ｈ１；
（２）アミノ酸配列ＡＷＩＳＰＹＧＧＳＴＹＹＡＤＳＶＫＧ（配列番号５）を含むＨＶＲ−Ｈ２；
（３）アミノ酸配列ＲＨＷＰＧＧＦＤＹ（配列番号６）を含むＨＶＲ−Ｈ３
を含む重鎖可変領域
を含む、請求項１から１４の何れか一項に記載の製剤。
【請求項１６】
前記モノクローナル抗体が、配列番号７のアミノ酸配列を含む軽鎖可変領域及び配列番号８のアミノ酸配列を含む重鎖可変領域、または配列番号７のアミノ酸配列を含む軽鎖可変領域及び配列番号３２のアミノ酸配列を含む重鎖可変領域を含む、請求項１から１５の何れか一項に記載の製剤。
【請求項１７】
前記モノクローナル抗体が、配列番号９のアミノ酸配列を含む軽鎖及び配列番号１０のアミノ酸配列を含む重鎖を含む、請求項１６に記載の製剤。
【請求項１８】
前記モノクローナル抗体が、ガラスバイアル又は金属合金容器中で保存される、請求項１から１７の何れか一項に記載の製剤。
【請求項１９】
金属合金が、３１６Ｌステンレススチール又はハステロイである、請求項１８に記載の製剤。
【請求項２０】
２−８℃で少なくとも６カ月、少なくとも１２カ月、少なくとも１８カ月又は少なくとも２４カ月間安定である、請求項１から１９の何れか一項に記載の製剤。
【請求項２１】
製剤中の抗体が保存後にその生物活性の少なくとも約８０％を保持している、請求項２０に記載の製剤。
【請求項２２】
生物活性がＰＤ−Ｌ１に結合する抗体によって測定される、請求項２１に記載の製剤。
【請求項２３】
滅菌されている、請求項１から２２の何れか一項に記載の製剤。
【請求項２４】
対象への投与に適している、請求項１から２３の何れか一項に記載の製剤。
【請求項２５】
静脈内（ＩＶ）投与用である、請求項１から２４の何れか一項に記載の製剤。
【請求項２６】
請求項１から２５の何れか一項に記載の安定な水性薬学的製剤を保持する容器を含む製造品。
【請求項２７】
容器がガラスバイアル又は金属合金容器である、請求項２６に記載の製造品。
【請求項２８】
金属合金が３１６Ｌステンレススチール又はハステロイである、請求項２７に記載の製造品。
【請求項２９】
対象における疾患又は障害を治療するための組成物であって、請求項１から２５の何れか一項に記載の製剤の有効量を含み、疾患又は障害が、感染、がん及び炎症疾患からなる群から選択される組成物。
【請求項３０】
モノクローナル抗体が定常領域にＮ２９７Ａ又はＤ２６５Ａ／Ｎ２９７Ａ置換を含み、残基の番号付けがカバットと同様のＥＵインデックスの番号付けである、請求項１から２５の何れか一項に記載の製剤。
【手続補正書】
【提出日】平成29年9月20日(2017.9.20)
【手続補正１】
【補正対象書類名】特許請求の範囲
【補正対象項目名】請求項７
【補正方法】変更
【補正の内容】
【請求項７】
容器をブロー成形するための単層または多層プリフォームにおいて、前記プリフォームが、内容積を定める長尺体と、前記長尺体の一端部に口を定める開口部とを含み、前記プリフォームの少なくとも１層が、請求項１乃至６の何れか１項に記載のポリエステル組成物から作製されることを特徴とするプリフォーム。
【手続補正２】
【補正対象書類名】特許請求の範囲
【補正対象項目名】請求項１１
【補正方法】変更
【補正の内容】
【請求項１１】
請求項１乃至６の何れか１項に記載のポリエステル組成物を生産する方法において、以下の成分
（ａ）ポリエチレンテレフタラート、ポリエチレンナフタレン、およびそれらの混合物から選択される熱可塑性ポリエステルを９０〜９７重量％、
（ｂ）ポリ−ｍ−キシリデン（ＭＸＤ６）を２〜６重量％、
（ｃ）エチレングリコール（ＥＧ）を０．１〜１０００ｐｐｍ、
（ｄ）コバルト塩を１〜５０００ｐｐｍ、および
（ｅ）ピロメリト酸二無水物（ＰＭＤＡ）を０．１〜１０００ｐｐｍ
を押出機内でブレンドすることと、ペレットを形成することを含むことを特徴とし、
成分（ｃ）、（ｄ）、および（ｅ）は、混合されてマスターバッチを形成し、成分（ａ）と別々に前記押出機に加えられることを特徴とする方法。
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
治療有効量の芳香族カチオン性ペプチドまたはその薬学的に許容される塩を含む、Ａβ毒性を伴う疾患を患う対象におけるベータアミロイド（Ａβ）誘発性オキシゲナーゼ活性を減少させることに使用するための組成物。
【請求項２】
前記芳香族カチオン性ペプチドが、２′，６′−Ｄｍｔ−Ｄ−Ａｒｇ−Ｐｈｅ−Ｌｙｓ−ＮＨ2（ＳＳ−０２）、Ｐｈｅ−Ｄ−Ａｒｇ−Ｐｈｅ−Ｌｙｓ−ＮＨ2（ＳＳ−２０）、Ｄ−Ａｒｇ−２′，６′−Ｄｍｔ−Ｌｙｓ−Ｐｈｅ−ＮＨ2（ＳＳ−３１）、及びＤ−Ａｒｇ−２′，６′−Ｄｍｔ−Ｌｙｓ−Ａｌｄ−ＮＨ2（［ａｌｄ］ＳＳ−３１）からなる群から選択される１つ以上のペプチドを含む、請求項１に記載の組成物。
【請求項３】
前記塩が、酢酸塩、酒石酸塩、またはトリフルオロ酢酸塩である、請求項１に記載の組成物。
【請求項４】
前記芳香族カチオン性ペプチドが、経口、非経口、静脈内、皮下、経皮、局所、または吸入投与されることが意図される、請求項１に記載の組成物。
【請求項５】
前記疾患が、アルツハイマー病、レビー小体型認知症、封入体筋炎、及び脳アミロイド血管症からなる群から選択される、請求項１に記載の組成物。
【請求項６】
治療が、記憶喪失、興奮、気分変動、判断力の低下、認知症、抽象的思考が困難になる、慣れた作業が困難になる、認知的困難、見当識障害、コミュニケーション能力の減退、反復的な発話または動作、視覚または空間関係に関する困難、引きこもり、抑鬱、認知喪失、運動能力及び触覚の喪失、妄想、被害妄想、言葉または身体的攻撃性、ならびに睡眠障害からなる群から選択される、アルツハイマー病の１つ以上の症状を減少させるか、または改善することを含む、請求項５に記載の組成物。
【請求項７】
Ａβ毒性を伴う疾患を患う対象における細胞外ベータアミロイド（Ａβ）オリゴマーを減少させることに使用するための、治療有効量の芳香族カチオン性ペプチドまたはその薬学的に許容される塩を含む組成物。
【請求項８】
前記芳香族カチオン性ペプチドが、２′，６′−Ｄｍｔ−Ｄ−Ａｒｇ−Ｐｈｅ−Ｌｙｓ−ＮＨ2（ＳＳ−０２）、Ｐｈｅ−Ｄ−Ａｒｇ−Ｐｈｅ−Ｌｙｓ−ＮＨ2（ＳＳ−２０）、及びＤ−Ａｒｇ−２′，６′−Ｄｍｔ−Ｌｙｓ−Ａｌｄ−ＮＨ2（［ａｌｄ］ＳＳ−３１）からなる群から選択される１つ以上のペプチドを含む、請求項７に記載の組成物。
【請求項９】
前記塩が、酢酸塩、酒石酸塩、またはトリフルオロ酢酸塩である、請求項７に記載の組成物。
【請求項１０】
前記芳香族カチオン性ペプチドが、経口、非経口、静脈内、皮下、経皮、局所、または吸入投与されることが意図される、請求項７に記載の組成物。
【請求項１１】
前記疾患が、アルツハイマー病、レビー小体型認知症、封入体筋炎、及び脳アミロイド血管症からなる群から選択される、請求項７に記載の組成物。
【請求項１２】
治療が、記憶喪失、興奮、気分変動、判断力の低下、認知症、抽象的思考が困難になる、慣れた作業が困難になる、認知的困難、見当識障害、コミュニケーション能力の減退、反復的な発話または動作、視覚または空間関係に関する困難、引きこもり、抑鬱、認知喪失、運動能力及び触覚の喪失、妄想、被害妄想、言葉または身体的攻撃性、ならびに睡眠障害からなる群から選択される、アルツハイマー病の１つ以上の症状を減少させるか、または改善することを含む、請求項１１に記載の組成物。
【請求項１３】
アルツハイマー病を治療するための、治療有効量のＤ−Ａｒｇ−２′，６′−Ｄｍｔ−Ｌｙｓ−Ａｌｄ−ＮＨ2（［ａｌｄ］ＳＳ−３１）またはその薬学的に許容される塩を含む組成物。
【請求項１４】
治療が、記憶喪失、興奮、気分変動、判断力の低下、認知症、抽象的思考が困難になる、慣れた作業が困難になる、認知的困難、見当識障害、コミュニケーション能力の減退、反復的な発話または動作、視覚または空間関係に関する困難、引きこもり、抑鬱、認知喪失、運動能力及び触覚の喪失、妄想、被害妄想、言葉または身体的攻撃性、ならびに睡眠障害からなる群から選択される、アルツハイマー病の１つ以上の症状を減少させるか、または改善することを含む、請求項１３に記載の組成物。
【請求項１５】
Ｄ−Ａｒｇ−２′，６′−Ｄｍｔ−Ｌｙｓ−Ａｌｄ−ＮＨ2（［ａｌｄ］ＳＳ−３１）が、経口、非経口、静脈内、皮下、経皮、局所、または吸入投与されることが意図される、請求項１３に記載の組成物。
【請求項１６】
前記塩が、酢酸塩、酒石酸塩、またはトリフルオロ酢酸塩である、請求項１３に記載の組成物。
【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
外側に面した表面を含む基体と、
前記外側に面した表面の上に配設された、ＡｌＯｘＮｙを含む層と、
前記層の上または前記層と前記基体との間に配設された、ＳｉＯ２およびＡｌ２Ｏ３のうちの一方を含む付加層と、
を備えた多層基体であって、
前記多層基体が、バーコビッチ圧子硬度試験によって、１００ｎｍ以上の押し込み深さに沿って測定された、少なくとも１２ＧＰａの硬さを示し、
装置に組み付けられた前記多層基体は、前記装置を少なくとも１００ｃｍの高さから落下面上に落下させた際に、破壊に耐えることができる
ことを特徴とする多層基体。
【請求項２】
前記基体が、非晶質の基体または結晶質の基体から選択される透明または不透明の基体を含む、請求項１記載の多層基体。
【請求項３】
前記非晶質の基体が、ソーダ石灰ガラス、アルカリアルミノシリケートガラス、アルカリ含有ボロシリケートガラス、およびアルカリアルミノボロシリケートガラスからなる群より選択されるガラスを含む、請求項２記載の多層基体。
【請求項４】
前記ガラスが化学的に強化されており、前記化学的に強化されたガラスの表面から、少なくとも１０μｍの層の深さ（ＤＯＬ）まで、前記化学的に強化されたガラスの内部に延在する少なくとも２５０ＭＰａの圧縮応力（ＣＳ）を有する圧縮応力（ＣＳ）層を含む、請求項３記載の多層基体。
【請求項５】
前記基体が、両側にある主表面のうち１以上の表面において、０．５％以上の平均破断ひずみを示す、請求項１から４いずれか１項記載の多層基体。
【請求項６】
前記層が、バーコビッチ圧子硬さ試験によって、１００ｎｍ以上の押し込み深さに沿って測定された、少なくとも２０ＧＰａの硬さを示す、請求項１〜５のいずれか一項記載の多層基体。
【請求項７】
前記層が、少なくとも５００ｎｍの厚さを有する、請求項１〜６のいずれか一項記載の多層基体。
【請求項８】
前記層が、金属酸化物、金属窒化物、金属酸窒化物、金属炭化物、金属ホウ化物、ダイヤモンドライクカーボン、またはそれらの組合せを含み、前記金属がＢ、Ａｌ、Ｓｉ、Ｔｉ、Ｖ、Ｃｒ、Ｙ、Ｚｒ、Ｎｂ、Ｍｏ、Ｓｎ、Ｈｆ、Ｔａ、およびＷからなる群より選択される、請求項１〜７のいずれか一項記載の多層基体。
【請求項９】
前記多層基体が、少なくとも８５％、または１０％未満の透過率を示す、請求項１〜８のいずれか一項記載の多層基体。
【請求項１０】
前記ＳｉＯ２およびＡｌ２Ｏ３のうちの他方を含む第２の付加層を更に備えた、請求項１〜９のいずれか一項記載の多層基体。
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
（ｉ）配列番号９６−１１３のうちの１つのアミノ酸配列に対して、８５％超の配列同一性を有する、ヒト免疫不全ウイルス（ＨＩＶ）又はサル免疫不全ウイルス（ＳＩＶ）転写トランスアクチベーター（Ｔａｔ）タンパク質由来の転写因子（ＴＦ）領域配列、
（ｉｉ）配列番号１２４−１３２のうちの１つのアミノ酸配列に対して、８５％超の配列同一性を有する、ＨＩＶ、ＳＩＶ又はデフェンシン由来のシステインリッチ領域配列、
及び、
（ｉｉｉ）配列番号１３３−１５０のうちの１つのアミノ酸配列に対して、８５％超の配列同一性を有する、ＨＩＶ又はＳＩＶ  Ｔａｔタンパク質由来のＣ−末端領域配列、
を示される順序で含むアミノ酸配列を有するＴａｔ誘導体ポリペプチド。
【請求項２】
ＨＩＶ−１又はＨＩＶ−２  Ｔａｔ由来のアルギニンリッチ領域をさらに含む、
ことを特徴とする請求項１に記載のＴａｔ誘導体ポリペプチド。
【請求項３】
前記ＴＦ領域におけるアミノ酸の少なくとも１つは、欠損又はアラニン、アスパラギン酸、グルタミン酸、グリシン、リジン、グルタミン、アルギニン、セリン若しくはトレオニンで置換されている、
ことを特徴とする請求項１に記載のＴａｔ誘導体ポリペプチド。
【請求項４】
置換されたアミノ酸の少なくとも１つは、プロリンである、
ことを特徴とする請求項３に記載のＴａｔ誘導体ポリペプチド。
【請求項５】
前記Ｔａｔ誘導体ポリペプチドは、配列番号５−９５のうちの１つに対して、８５％超の配列同一性を有する、
ことを特徴とする請求項１に記載のＴａｔ誘導体ポリペプチド。
【請求項６】
前記Ｔａｔ誘導体ポリペプチドは、配列番号２、３又は４のうちの１つではない、
ことを特徴とする請求項１に記載のＴａｔ誘導体ポリペプチド。
【請求項７】
癌の治療を必要とする対象において癌の増殖の停止又は癌の退縮を起こすことにより、前記対象における癌を治療するために治療上有効量用いるための請求項１乃至６のいずれか１項に記載のＴａｔ誘導体ポリペプチド。
【請求項８】
癌の治療を必要とする癌を有する対象において癌の退縮を起こすことにより、前記対象における腫瘍負荷を低減させるために治療上有効量用いるための請求項１乃至６のいずれか１項に記載のＴａｔ誘導体ポリペプチド。
【請求項９】
癌を有する対象において癌の増殖の低減若しくは阻害又は癌の退縮をもたらすことにより、前記対象における抗腫瘍免疫反応の抑制を阻害するために治療上有効量用いるための請求項１乃至６のいずれか１項に記載のＴａｔ誘導体ポリペプチド。
【請求項１０】
癌を有する対象において癌の増殖の低減若しくは阻害又は癌の退縮をもたらすことにより、前記対象におけるＰＤ−Ｌ１発現腫瘍を治療するために治療上有効量用いるための請求項１乃至６のいずれか１項に記載のＴａｔ誘導体ポリペプチド。
【請求項１１】
前記対象由来の少なくとも１つの前処理腫瘍は、ＰＤ−Ｌ１発現細胞を少なくとも５％含む、
ことを特徴とする請求項９又は１０に記載のＴａｔ誘導体ポリペプチド。
【請求項１２】
前記対象由来の少なくとも１つの前処理腫瘍は、ＰＤ−Ｌ１発現細胞を５％から２０％含む、
ことを特徴とする請求項１１に記載のＴａｔ誘導体ポリペプチド。
【請求項１３】
前記対象由来の少なくとも１つの前処理腫瘍は、ＰＤ−Ｌ１発現細胞を５％から１５％含む、
ことを特徴とする請求項１１に記載のＴａｔ誘導体ポリペプチド。
【請求項１４】
前記対象由来の少なくとも１つの前処理腫瘍は、ＰＤ−Ｌ１発現細胞を５％から１０％含む、
ことを特徴とする請求項１１に記載のＴａｔ誘導体ポリペプチド。
【請求項１５】
前記Ｔａｔ誘導体ポリペプチドは、複数回投与される、
ことを特徴とする請求項７乃至１０のいずれか１項に記載のＴａｔ誘導体ポリペプチド。
【請求項１６】
前記投与ステップは、反復投与サイクルを含み、各サイクルは、休薬期間が後に続く定められた期間中に、前記Ｔａｔ誘導体ポリペプチドを複数回投与することを含み、前記サイクルは複数回繰り返される、
ことを特徴とする請求項７乃至１０のいずれか１項に記載のＴａｔ誘導体ポリペプチド。
【請求項１７】
前記投与ステップは、反復投与サイクルを含み、各サイクルは、定められた期間中の治療薬の単回投与又は複数回投与が後に続く定められた期間中に、前記Ｔａｔ誘導体ポリペプチドを複数回投与することを含み、前記サイクルは複数回繰り返される、
ことを特徴とする請求項７乃至１０のいずれか１項に記載のＴａｔ誘導体ポリペプチド。
【請求項１８】
前記治療薬は、シクロホスファミドである、
ことを特徴とする請求項１７に記載のＴａｔ誘導体ポリペプチド。
【請求項１９】
前記癌は、副腎皮質癌、肛門癌、虫垂癌、星状細胞腫、基底細胞癌、胆管癌、膀胱癌、骨癌、脳腫瘍、乳癌、気管支腺腫／カルチノイド、カルチノイド腫瘍、子宮頸癌、慢性骨髄増殖性疾患、結腸癌、線維形成性小円形細胞腫瘍、子宮内膜癌、上衣腫、食道癌、ユーイング肉腫、生殖細胞腫瘍、眼癌、胆嚢癌、胃癌、消化管カルチノイド腫瘍、消化管間質腫瘍（ＧＩＳＴ）、妊娠性絨毛腫瘍、神経膠腫、胃カルチノイド、頭頸部癌、心臓癌、肝細胞癌、ホジキンリンパ腫、下咽頭癌、膵島細胞癌、カポジ肉腫、腎臓癌、白血病、口唇および口腔癌、脂肪肉腫、肝臓癌、肺癌、リンパ腫、マクログロブリン血症、髄芽腫、黒色腫、メルケル細胞癌、中皮腫、口腔癌、多発性骨髄腫／形質細胞新生物、菌状息肉腫、鼻腔および副鼻腔癌、上咽頭癌、神経芽細胞腫、口腔がん、咽頭がん、卵巣がん、卵巣上皮癌、膵臓癌、副甲状腺癌、陰茎癌、咽頭癌、褐色細胞腫、松果体細胞腫、松果体胚細胞腫、松果体芽腫、下垂体腺腫、胸膜肺芽細胞腫、前立腺癌、直腸癌、腎細胞癌、網膜芽細胞腫、横紋筋肉腫、唾液腺癌、肉腫、セザリー症候群、皮膚癌、扁平上皮細胞癌、胃癌、精巣癌、咽喉癌、胸腺腫、甲状腺癌、尿道癌、子宮癌、子宮肉腫、膣癌、外陰癌、ヴァルデンストレームマクログロブリン血症又はウィルムス腫瘍である、
ことを特徴とする請求項７乃至１０のいずれか１項に記載のＴａｔ誘導体ポリペプチド。
【請求項２０】
請求項１、７乃至１０のいずれか１項に記載のＴａｔ誘導体ポリペプチドを含む医薬組成物。
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
加圧分配装置であって、
容器開口部が形成された首部を有する剛性容器と、
容器内に配設され、剛性容器の首部内または首部に沿って配設された孔形成ライナー取り付け部を備える萎み可能ライナーと、
ライナー内に配設された下方へ延びる浸漬管と、
剛性容器の首部に係合し、内部を通る流体流路が形成されたプローブを含むコネクタとを備えており、
浸漬管の上部でプローブの下部を受けることができるようになっており、プローブの下部でその浸漬管の上部を取り付け部の内面に押し当てることで、浸漬管がプローブの下部と取り付け部とに直接接触してプローブと取り付け部との間に浸漬管を密閉状態で係合させられるようになっていることを特徴とする加圧分配装置。
【請求項２】
ライナー式加圧分配装置用のコネクタであって、
剛性容器の首部外側のねじ山部と共働するように内側にねじ山をもつ側壁を含み、この内側にねじ山をもつ側壁の付近に下部凹所が形成されている本体構造と、
内部に流体流路が形成され、下部が浸漬管の上部と機能的に結合できるように下部凹所内に突き出し、下部に中心軸に対して傾斜した先細り面が形成されているプローブと、
コネクタの外面と下部凹所との間の流体連通を可能にするように配設された少なくとも１つの気体流路が形成された構造とを備えており、
コネクタがライナー式加圧分配装置に嵌め合わされるとき、プローブの下部が浸漬管の上部と直接接触し、浸漬管の上部を取り付け部の内面に押し当ててプローブと取り付け部との間に浸漬管を密閉状態で係合させられるようになっていることを特徴とするライナー式加圧分配装置用のコネクタ。
【請求項３】
液体含有材料を分配する方法であって、
加圧分配装置を提供する工程を含み、
その加圧分配装置は（ａ）容器開口部を形成する首部を含む剛性容器と、（ｂ）容器内に配設され、剛性容器の首部内または首部に沿って配設された孔形成ライナー取り付け部を備える萎み可能ライナーと、（ｃ）ライナー内に配設された下方へ延びる浸漬管と、（ｄ）内部に流体流路を形成するプローブを含むコネクタと、（ｅ）有形媒体に記した１組の指示とを有しており、
その指示が、プローブ下部に浸漬管上部を浸漬管の内面に押し当てて設置させ、浸漬管をプローブと取り付け部との間に密閉係合させるべく、コネクタを剛性容器の首部にねじ込む手順と、萎み可能ライナーを圧縮するためにコネクタを介し、加圧気体を萎み可能ライナーおよび剛性容器と流体連通する加圧空間へ供給する手順とを含む指示であることを特徴とする方法。
【請求項４】
加圧分配装置を利用する方法であって、
その加圧分配装置が（ａ）容器開口部を形成する首部を備えた剛性容器と、（ｂ）容器内に配設され、剛性容器の首部内またはこれに沿って配設された孔形成ライナー取り付け部を有する萎み可能ライナーと、（ｃ）ライナー内に配設されている下方へ延びる浸漬管と、（ｄ）内部を通る流体流路が形成されているプローブを備えたコネクタとを有しており、
コネクタを剛性容器の首部にねじ込んでプローブ下端部を浸漬管上部と直接係合させる工程と、
萎み可能ライナーを圧縮するために、コネクタを通して萎み可能ライナーと剛性容器との間の加圧空間へ加圧気体を供給する工程を含むことを特徴とする方法。
【請求項５】
加圧分配装置であって、
頂面に沿った口部と、第１幅を有する上部と、第１幅よりも小さい第２幅を有する下部とを有する容器と、
容器の下部内に配設され、液体抽出口を含む下方へ延びる浸漬管とを備えており、
（ａ）浸漬管から容器内への液体の流れを阻止するために、液体抽出口の付近に逆流防止装置が配設されているという特徴と、（ｂ）容器の下部内における液体の欠乏または低液位を示す状態を感知するセンサーが容器の下部内またはその付近に設けられているという特徴のうち少なくとも一方を有することを特徴とする加圧分配装置。
【請求項６】
加圧分配装置であって、
頂面に口部を有する容器と、
容器の下部に配設された液体抽出口を含む下方へ延びる浸漬管と、
容器内に配設された液体と接触させるため、加圧気体を容器の内部へ連通するように配設された気体入口ポートと、
浸漬管から容器内への液体の流れを阻止するために、液体抽出口の付近に配設された逆流防止装置とを備えることを特徴とする加圧分配装置。
【請求項７】
ライナー式分配システムからヘッドスペース気体を除去する方法であって、
オーバーパックとそのオーバーパック内に配置されるライナーを提供する工程と、
オーバーパックと結合し、オーバーパック内に配置されたライナーの内部と流体連通するための第１ポートおよび第２ポートが形成され、オーバーパックの内部およびライナーの外部と流体連通するための第３ポートが形成されたキャップを提供する工程と、
有形媒体に記した１組の操作指示を提供する工程とを含んでおり、
その操作指示が、
所定の第１圧力にある加圧された不活性気体を第２ポートに付与する手順と、
加圧された不活性気体を所定の第１圧力にて第２ポートに付与しながら、第１ポートを介してライナーに液体を充填し、液体が第１圧力よりも高い第２圧力で第１ポートに付与されるようにする手順とを含む操作指示であることを特徴とする方法。
【請求項８】
加圧分配容器から分配される流体の流れを分配する方法であって、
加圧気体を剛性容器の内部に配設された液状化学品と直接接触するように内部に供給することにより、容器上部に比べて幅狭の容器下部内に配置された浸漬管の抽出開口部内に液状化学品を流れ込ませる工程と、
（ａ）浸漬管に設けられた逆流防止装置を利用して浸漬管内における液状化学品の逆流を阻止するステップと、（ｂ）容器の下部内における液状化学品の欠乏または低液位を示す状態を感知するステップのうち少なくとも１つを実行する工程を有することを特徴とする方法。